(57)【要約】【課題】クレーンゲーム機のグリッパ構造を提供する。【解決手段】枢着台２０及び挟持爪３０を具え、枢着台は、その底側にねじ山管２１を形成して該ねじ山管に上調整ナット２２Ａ及び下調整ナット２２Ｂを螺合してそれらの間に被せ環３４を挟持する。挟持爪３２は、昇降台３１に枢着され、上記被せ環に枢着された接続ロッド３３に枢着されてリンク機構を形成し、昇降台の上下動作に伴って挟持爪３０を開閉する。挟持爪３０や対象とする商品の取り換えに応じて、その開度を調整するには、上記上調整ナット２２Ａ及び下調整ナット２２Ｂを回転させて移動することにより、それらに挟持された被せ環を昇降させればよい。【選択図】図２
0003193183.tif 000002
【実用新案登録請求の範囲】
【請求項１】
枢着台及び挟持爪を具え、
上記枢着台は、その底側にねじ山管を形成して該ねじ山管に上調整ナット及び下調整ナットをその回転により上下移動可能に螺合し、それらの間に被せ環を挟持し、
上記挟持爪は、昇降台に搖動可能に枢着されると共に、上記被せ環に一端を枢着された接続ロッドの他端に枢着されてリンク機構を形成し、
昇降台の上下動作に伴って挟持爪を搖動して開閉すると共に、上記上調整ナット及び下調整ナット間に定位されて、それらの回転上下移動によりリンク機構を介してその開度を調整可能とした、
クレーンゲーム機のグリッパ爪構造。
【考案の詳細な説明】
【技術分野】
【０００１】
本考案は、クレーンゲーム機に関し、特にクレーンゲーム機のグリッパ爪に対する改良構造であり、グリッパ爪の折り畳みの角度を容易、且つ迅速に調整するグリッパ爪構造を提供する。
【背景技術】
【０００２】
図１に示すものは、従来のクレーンゲーム機に応用されるグリッパ爪１０であり、該グリッパ爪は、本体１１を有し、本体１１上に少なくとも若干の物体挟持爪１２（図１に示すような３つの物体挟持爪１２）を枢着し、本体１１底部に物体挟持爪１２と枢着する弁ロッド（図示せず）を設け、該弁ロッドが受ける磁性力の吸引（又は反発）により、物体挟持爪１２の挟持密合（又は開放拡張）を駆動し、プレイヤーに選択物を挟持する楽しみを提供する。
【０００３】
上記従来のグリッパ爪１０は、商品を挟持する利便性を有するが、それは、物体挟持爪１２の挟み合う角度を調整することができず、物体挟持爪１２の大きさを交換するか、損壊した挟持爪１２を交換する時、交換後の物体挟持爪１２の挟持角度が開き過ぎ（又は密合し過ぎ）を発生し、物体挟持時の挟む作業が円滑でなくなり、物体を掴む楽しさに影響を及ぼす。
商品の寸法の大きさが変更される時は、グリッパ爪１０全部を適当な寸法に交換する必要があり、そうして初めてプレイヤーにクレーンゲームを円滑に楽しませることができる。
従って、従来のグリッパ爪は、物体挟持爪１２の挟み合う角度を調整することができず、使用上の不便である欠陥を有し、且つ多種寸法の物体挟持爪１２を準備する必要があり、製造コスト及び材料を上昇させる欠陥を有する。
【先行技術文献】
【特許文献】
【０００４】
【特許文献１】特開２００８−２２８９６５号公報
【考案の概要】
【考案が解決しようとする課題】
【０００５】
本考案の目的は、上記グリッパ爪が有する欠陥を改善し、挟持爪の折り畳み角度を容易に調整できるグリッパ爪構造を提供することにある。
【課題を解決するための手段】
【０００６】
上記目的を達成する為、本考案のグリッパ爪構造は、これらの欠陥を解消した枢着台及び挟持爪を具える。
【０００７】
枢着台は、その底側にねじ山管を形成し、ねじ山管上に上調整ナット及び下調整ナットを螺合し、該上調整ナット及び下調整ナットをねじ山管上で回転させて定量的に上下移動させることができる。
【０００８】
挟持爪は、昇降台を有し、昇降台は、物体挟持爪を枢着し、物体挟持爪は、接続ロッドを枢着し、接続ロッド他端は、被せ環と枢着結合し、昇降台、物体挟持爪及び接続ロッド間にリンク機構による連動を形成し、物体挟持爪に昇降台の駆動を受けて挟み合い、開放の動作を行わせることができる。また、該被せ環は、枢着台のねじ山管に嵌合し、且つ上調整ナット及び下調整ナットの間に位置することができ、上調整ナット及び下調整ナットの挟持定位を受けることができる。
【考案の効果】
【０００９】
上記及び図面に示すように、本考案は、以下の利点を有する：
（一）本考案は、上調整ナット２２Ａ及び下調整ナット２２Ｂにより、挟持爪３０の被せ環３４を挟持定位し、被せ環３４の高さを容易に調整して、物体挟持爪３２の挟み合う角度を同期調整し、商品の寸法又は物体挟持爪の寸法に合わせることができる。
（二）本考案の上調整ナット２２Ａ及び下調整ナット２２Ｂにより、枢着台２０に枢着するねじ山管２１に螺合し、上調整ナット２２Ａ及び下調整ナット２２Ｂを回転して上向き（又は下向き）に移動させるよう直接操作でき、更に、上調整ナット２２Ａ及び下調整ナット２２Ｂの位置を迅速に調整でき、その他の工具の補助を得て調整する必要がなく、物体挟持爪２２の挟み合う角度を調整する利便性及び迅速性を確実に有する。
（三）本考案は、被せ環３４を枢着台２０のねじ山管２１上に嵌合し、上調整ナット２２Ａ及び下調整ナット２２Ｂによって被せ環３４を挟持し、且つ昇降台３１、物体挟持爪３２及び接続ロッドの間にリンク機構による連動関係を形成し、物体挟持爪３２が行う挟持拡張の動作に影響を及ぼすことなく開度調整可能とし、また、二爪式、三爪式又は四爪式のグリッパ爪構造に応用することができる。
【図面の簡単な説明】
【００１０】
【図１】従来のグリッパ爪の立体図である。
【図２】本考案の立体分解図である。
【図３】本考案の立体組み合わせ図である。
【図４】本考案の正面図である。
【図５】本考案の正面図であり、被せ環の上向きの移動を調整する説明図である。
【図６】本考案の正面図であり、被せ環の下向きの移動を調整する説明図である。
【考案を実施するための形態】
【００１１】
本考案は、目的を達成する技術手段について、図１〜図５に示す実施例に基づき、以下に詳細に説明する。
【００１２】
また、本考案が目的を達成する技術手段について、図２〜図４に示す実施例により、詳細を以下に説明する：
【００１３】
図２に示すように、実施例中のグリッパ爪は、枢着台２０及び挟持爪３２を具える。
【００１４】
枢着台２０（図３を同時に参照）は、その底側にねじ山管２１を形成し、ねじ山管２１上に上調整ナット２２Ａ及び下調整ナット２２Ｂを螺合し、該上調整ナット２２Ａ及び下調整ナット２２Ｂをねじ山管２１上で回転させ、定量的に上向き（又は下向き）に移動させることができる。
【００１５】
挟持爪３０（図３を同時に参照）は、昇降台３１を有し、昇降台３１は、物体挟持爪３２を枢着し、物体挟持爪３２は、接続ロッド３３の1端に枢着し、接続ロッド３３の他端は、被せ環３４と枢着結合し、昇降台３１、物体挟持爪３２及び接続ロッド３３間にリンク機構による連動を形成し、物体挟持爪３２に昇降台３１の駆動を受けて挟み合い、開放の動作を行わせることができる。
また、該被せ環３４は、枢着台２０のねじ山管２１に嵌合し、且つ上調整ナット２２Ａ及び下調整ナット２２Ｂの間に位置して、上調整ナット２２Ａ及び下調整ナット２２Ｂに挟持されて定位する。
【００１６】
上記構造により、図４に示すように、該挟持爪３０は、被せ環３４により枢着台２０のねじ山管２１を被せ置き、上調整ナット２２Ａ及び下調整ナット２２Ｂのねじ山管２１上の螺合により、上調整ナット２２Ａ及び下調整ナット２２Ｂに挟持爪３０の被せ環３４を挟持定位し、被せ環３４を上下移動しないようにする。
物体挟持爪３２の挟み合う角度の拡張度合を調整する時、上調整ナット及び下調整ナット２２Ｂを回転させて上向きに変位させることができ、即ち、挟持爪３０の被せ環３４を押し動かし、比較的拡張された角度を形成する（図５参照）。
あるいは、比較的長い物体挟持爪３２に交換するか、比較的大きな寸法の物体挟持爪３２を使用する。
物体挟持爪３２の挟み合う角度を縮小するよう調整する時、上調整ナット及び下調整ナット２２Ｂを回転して下向きに変位させ、挟持爪３０の被せ環３４を押し動かし、下向きに移動する。  この時、昇降台３１、物体挟持爪３２及び接続ロッド３３の間の連動関係によって、物体挟持爪３２に比較的狭められた角度を形成させる（図６参照）。
あるいは、物体挟持爪３２の長さを短縮するか、比較的小さい寸法の物体挟持爪３２を使用する。
【００１７】
上記及び図面から分かるように、本考案は、以下の利点を有する：
（一）本考案は、上調整ナット２２Ａ及び下調整ナット２２Ｂを用いて、挟持爪３０の被せ環３４を挟持定位し、被せ環３４の高さを容易に調整することができ、それによって物体挟持爪３２の挟み合う角度を同期調整し、商品の寸法又は物体挟持爪の寸法に合わせることができる。
（二）本考案の上調整ナット２２Ａ及び下調整ナット２２Ｂにより、枢着台２０に枢着するねじ山管２１に螺合し、上調整ナット２２Ａ及び下調整ナット２２Ｂを回転して上向き（又は下向き）に移動させるよう直接操作し、或いは、上調整ナット２２Ａ及び下調整ナット２２Ｂの位置を迅速に調整可能であって、その他の工具の補助を得て調整する必要がなく、物体挟持爪２２の挟み合う角度を調整する利便性及び迅速性を確実に有する。
（三）本考案は、被せ環３４を枢着台２０のねじ山管２１上に嵌合し、更に、上調整ナット２２Ａ及び下調整ナット２２Ｂによって被せ環３４を挟持し、且つ昇降台３１、物体挟持爪３２及び接続ロッドの間に連動関係を形成することにより、物体挟持爪３２が行う挟持拡張の動作に影響を及ぼすことなく調整可能であり、また、二爪式、三爪式又は四爪式のグリッパ爪構造にも応用することができる。
【００１８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１９】
１０  グリッパ爪
１１  本体
１２  物体挟持爪
２０  枢着台
２１  螺子管
２２Ａ  上調整ナット
２２Ｂ  下調整ナット
３０  挟持爪
３１  昇降台
３２  物体挟持爪
３３  接続ロッド
３４  被せ環
【図１】
0003193183.tif 000003
【図２】
0003193183.tif 000004
【図３】
0003193183.tif 000005
【図４】
0003193183.tif 000006
【図５】
0003193183.tif 000007
【図６】
0003193183.tif 000008